(57)【要約】【課題】仕掛けが不意に抜け落ちてしまうのを好適に防止することができる釣用仕掛け保持具を提供する。【解決手段】貫通孔が形成された釣用の仕掛けを保持するための釣用仕掛け保持具１であって、つまみ部１０と、このつまみ部１０に少なくとも一端が固定された線材２０ａ１，２０ｂ１からなり、他端がつまみ部１０側へ折り返されてループ状とされた先端部２１を有する保持部２０と、を備え、先端部２１は、その先端に向けてテーパ状に窄まり貫通孔に挿通可能な挿通部２１ａを有しており、保持部２０には、つまみ部１０と挿通部２１ａとの間に、挿通部２１ａの滑り抵抗よりも大きな滑り抵抗を付与する抵抗部２２が設けられている構成とした。【選択図】図１
2012110281.tif 000002
【特許請求の範囲】
【請求項１】
貫通孔が形成された釣用の仕掛けを保持するための釣用仕掛け保持具であって、
つまみ部と、このつまみ部に少なくとも一端が固定された線材からなり、他端が前記つまみ部側へ折り返されてループ状とされた先端部を有する保持部と、を備え、
前記先端部は、その先端に向けてテーパ状に窄まり前記貫通孔に挿通可能な挿通部を有しており、
前記保持部には、前記つまみ部と前記挿通部との間に、前記挿通部の滑り抵抗よりも大きな滑り抵抗を付与する抵抗部が設けられていることを特徴とする釣用仕掛け保持具。
【請求項２】
前記抵抗部は、線材を山谷状に曲げてなることを特徴とする請求項１に記載の釣用仕掛け保持具。
【請求項３】
前記抵抗部は、前記先端部の一部が前記つまみ部へ向けて窄まるように形成されてなることを特徴とする請求項１に記載の釣用仕掛け保持具。
【請求項４】
前記抵抗部は、前記つまみ部へ向けて段付き状に窄まるように形成されてなることを特徴とする請求項３に記載の釣用仕掛け保持具。
【請求項５】
前記抵抗部は、前記つまみ部側へ折り返された他端を前記つまみ部側に絡げることで形成されていることを特徴とする請求項１に記載の釣用仕掛け保持具。
【発明の詳細な説明】
【技術分野】
【０００１】
本発明は、釣用の仕掛けを保持することができる釣用仕掛け保持具に関する。
【背景技術】
【０００２】
従来、貫通孔が形成された仕掛け、例えば、ウキゴム類、シモリ玉やウキ等を保持する釣用仕掛け保持具として、特許文献１に開示されたものが知られている。
【０００３】
この釣用仕掛け保持具では、つまみ部と、このつまみ部に固定された線材からなる保持部とを備えており、仕掛けの貫通孔に保持部を挿通することで、保持部に仕掛けを保持しておくことが可能となっている。
【先行技術文献】
【特許文献】
【０００４】
【特許文献１】特開２００３−３８０７４号公報
【発明の概要】
【発明が解決しようとする課題】
【０００５】
ところで、特許文献１の釣用仕掛け保持具では、保持部に挿通されて保持された仕掛けが、使用中に不意に保持部の先端部から抜け落ちるおそれがあり、その改善が望まれていた。
特に、ホルダー等を介して釣人の衣服等に釣用仕掛け保持具を装着して使用した場合には、仕掛けが衣服等に擦れて先端部へ移動するおそれがあり、不意に先端部から抜け落ちるおそれがあった。また、振動や衝撃等を受けた場合にも、同様に抜け落ちるおそれがあった。
【０００６】
本発明は、前記問題を解決するためになされたものであり、仕掛けが不意に抜け落ちてしまうのを好適に防止することができる釣用仕掛け保持具を提供することを課題とする。
【課題を解決するための手段】
【０００７】
このような課題を解決する本発明の釣用仕掛け保持具は、貫通孔が形成された釣用の仕掛けを保持するための釣用仕掛け保持具であって、つまみ部と、このつまみ部に少なくとも一端が固定された線材からなり、他端が前記つまみ部側へ折り返されてループ状とされた先端部を有する保持部と、を備え、前記先端部は、その先端に向けてテーパ状に窄まり前記貫通孔に挿通可能な挿通部を有しており、前記保持部には、前記つまみ部と前記挿通部との間に、前記挿通部の滑り抵抗よりも大きな滑り抵抗を付与する抵抗部が設けられていることを特徴とする。
【０００８】
この釣用仕掛け保持具によれば、ループ状とされた先端部は、その先端に向けてテーパ状に窄まって貫通孔に挿通可能な挿通部を有しているので、保持部に仕掛けを保持する際には、挿通部を貫通孔に挿通することで、保持部に簡単に仕掛けを保持することができる。
そして、保持部には、つまみ部と挿通部との間に、挿通部の滑り抵抗よりも大きな滑り抵抗を付与する抵抗部が設けられているので、保持部に仕掛けが挿通保持された後に、先端部へ向けて仕掛けが移動したとしても、抵抗部の存在によって、先端部へ向けた仕掛けの移動が規制されることとなる。
【０００９】
また、前記抵抗部は、線材を山谷状に曲げてなることを特徴とする。
この釣用仕掛け保持具によれば、線材を山谷状に曲げることで保持部に抵抗部を簡単に形成することができる。
【００１０】
また、前記抵抗部は、前記先端部の一部が前記つまみ部へ向けて窄まるように形成されてなることを特徴とする。この場合、前記抵抗部は、前記つまみ部へ向けて段付き状に窄まるように形成することができる。
【００１１】
この釣用仕掛け保持具によれば、先端部の一部に抵抗部を一体的に形成することができる。つまり、先端部を形成する過程で抵抗部も形成することができ、保持部の形状や加工がシンプルなものとなる。
【００１２】
また、抵抗部が、つまみ部へ向けて段付き状に窄まるように形成されることで、先端部へ向けた仕掛けの移動がより確実に規制されることとなる。
【００１３】
また、前記抵抗部は、前記つまみ部側へ折り返された他端を前記つまみ部側に絡げることで形成されていることを特徴とする。
【００１４】
この釣用仕掛け保持具によれば、つまみ部側へ折り返された他端をつまみ部側に絡げることで抵抗部を簡単に形成することができる。
【発明の効果】
【００１５】
本発明によれば、保持部に簡単に仕掛けを保持することができ、使い勝手がよい。
また、抵抗部による滑り抵抗によって、先端部へ向けた仕掛けの移動が規制されることとなるので、仕掛けが保持部から不意に抜け落ちてしまうのを好適に防止することができる。
【００１６】
また、線材を山谷状に曲げてなる抵抗部を備えた構成では、抵抗部を簡単に形成することができるので、生産性に優れ、仕掛けが不意に抜け落ちてしまうのを好適に防止する構成を備えていながら、コストの低減を図ることができる。
【００１７】
また、抵抗部が、先端部の一部をつまみ部へ向けて窄まるように形成されてなる構成では、構成がシンプルなものとなり、これによって、生産性の向上を図ることができる。このことは、コストの低減に寄与する。
また、先端部の一部を利用して抵抗部が形成されるので、先端部の一部を利用した分、保持部の全長を短くすることが可能となる。したがって、保持可能な仕掛けの数を減らすことなく、コンパクト化を図ることができる。
また、先端部を形成する過程で抵抗部を簡単に形成することができ、生産性に優れる。
【００１８】
また、抵抗部が、つまみ部へ向けて段付き状に窄まるように形成された構成では、先端部へ向けた仕掛けの移動がより確実に規制されることとなるので、使用中に不意に仕掛けが抜け落ちるのをより確実に防止することができる。
【００１９】
また、抵抗部が、つまみ部側へ折り返された他端をつまみ部側に絡げることで形成された構成では、つまみ部側に絡げることで抵抗部を簡単に形成することができるので、生産性に優れ、コストの低減を図ることができる。
【図面の簡単な説明】
【００２０】
【図１】（ａ）は本発明の第１実施形態に係る釣用仕掛け保持具を示す斜視図、（ｂ）は仕掛けを保持した状態を示す斜視図、（ｃ）は先端部および抵抗部の拡大平面図、（ｄ）は抵抗部における線材の重なり具合を変更した状態を示す拡大平面図である。
【図２】（ａ）〜（ｅ）は仕掛けを保持する際の様子を示す説明図である。
【図３】使用状態を示す説明図である。
【図４】作用説明図である。
【図５】（ａ）は本発明の第２実施形態に係る釣用仕掛け保持具の先端部および抵抗部を示す拡大平面図、（ｂ）は拡大側面図である。
【図６】（ａ）は本発明の第３実施形態に係る釣用仕掛け保持具を示す拡大平面図、（ｂ）（ｃ）は仕掛けを保持する際の様子を示す説明図である。
【図７】（ａ）（ｂ）は第３実施形態の変形例に係る釣用仕掛け保持具の先端部および抵抗部を示す拡大平面図である。
【図８】本発明の第４実施形態に係る釣用仕掛け保持具の先端部および抵抗部を示す拡大平面図である。
【図９】本発明の第５実施形態に係る釣用仕掛け保持具の先端部および抵抗部を示す拡大平面図である。
【発明を実施するための形態】
【００２１】
以下、本発明に係る釣用仕掛け保持具の実施形態について図面を参照しながら説明する。なお、説明において、同一の要素には同一の符号を用い、重複する説明は省略する。
【００２２】
（第１実施形態）
図１（ａ）（ｂ）に示すように、釣用仕掛け保持具１は、貫通孔５１が形成された釣用の仕掛け５０（図１（ｂ）参照）を保持するための保持具であり、つまみ部１０と、このつまみ部１０に固定された保持部２０とを備えている。
つまみ部１０は、樹脂材で形成されており、釣人の指先でつまみ易いように角部の丸くされた板状を呈している。つまみ部１０の一端１０ａには、保持部２０を構成する線材の両端２０ａ，２０ｂが埋設されて固定されている。また、つまみ部１０の他端１０ｂには、上下方向に貫通する貫通孔１１が形成されている。この貫通孔１１には、図示しない連結具を装着することができ、この連結具を介してホルダー６０（図３参照）等に釣用仕掛け保持具１を取り付けることができる。
また、つまみ部１０の上面には、凹凸状の滑り止め１２が形成されている。
【００２３】
このようなつまみ部１０は、樹脂材で一体的に形成してもよいし、例えば、滑り止め１２を別体で形成して、これを接着剤等で固着するようにしてもよい。
なお、滑り止め１２を別体で形成した場合には、これを接着剤等で固着する際に、線材の両端２０ａ，２０ｂを接着剤等で一緒に固着するようにしてもよい。
【００２４】
保持部２０は、１本のステンレス製の線材を折り曲げ加工して図１（ａ）に示す形状に成形したものであり、先端部２１と、抵抗部２２と、直線部２３とを有している。
先端部２１は、ループ状とされており、本実施形態では、つまみ部１０側へ線材２０ｂ１を折り返すことで形成されている。なお、先端部２１は、線材２０ａ１，２０ｂ１同士が先端部２１またはその近傍において接触する状態とされて、閉ループ状とされていてもよいし、また、線材２０ａ１，２０ｂ１同士が先端部２１またはその近傍において非接触の状態とされて、開ループ状とされていてもよい。本実施形態では、開ループ状とされた例を示している。
【００２５】
先端部２１は、図１（ｃ）に示すように、平面視で水平方向（紙面と平行となる方向）に扁平とされた略菱形形状とされており、先端に向けてテーパ状に窄まる挿通部２１ａを備えている。挿通部２１ａは、仕掛け５０の貫通孔５１に挿通可能であり、後記するように、貫通孔５１への挿通時には、略菱形形状の先端部２１が、その弾性によって略菱形形状の短軸方向に窄まるようになっている（図２（ｂ）（ｃ）参照）。
【００２６】
抵抗部２２は、つまみ部１０と先端部２１との間において、先端部２１に連続して設けられており、本実施形態では、先端部２１の近傍部位において線材２０ａ１，２０ｂ１を山谷状に曲げ加工（直線部２３における線材２０ａ１，２０ｂ１の軸線に直交する方向に山谷状となるように曲げ加工）することで形成されている。
【００２７】
ここで、抵抗部２２の山谷のピッチＰ２は、先端部２１の山谷のピッチＰ１よりも小さく形成されており、また、抵抗部２２における山谷方向の最大幅Ｄ２は、先端部２１における山谷方向の最大幅Ｄ１よりも小さく形成され、さらに、最大幅Ｄ２は、仕掛け５０の貫通孔５１の内径Ｄ３よりも大きく形成されている。
【００２８】
また、図１（ｃ）に示すように、保持部２０の軸線に平行とされた基準線Ｏ１に対する先端部２１と抵抗部２２との線材２０ａ１（他方の線材２０ｂ１についても同様）の傾斜を比べると、抵抗部２２における傾斜角度θ２は、先端部２１における傾斜角度θ１よりも大きくなるように設定されている。つまり、先端部２１に比べて抵抗部２２では、線材２０ａ１の曲げ角度が急角度となっている。
これにより、仕掛け５０を保持部２０から抜き取る際の曲げモーメントの入力による曲げ変形は、先端部２１よりも抵抗部２２の方が小さくなる。つまり、仕掛け５０の通過時に、抵抗部２２は、先端部２１よりも変形し難くなっている。
【００２９】
また、これに加えて、抵抗部２２のピッチＰ２は、先端部２１のピッチＰ１よりも小さく、かつ、抵抗部２２は複数の山部と谷部とを有しているので、抵抗部２２における仕掛け５０の貫通孔５１との摩擦力は、先端部２１におけるものよりも大きくなっている。ここで、仕掛け５０の貫通孔５１の長さは、抵抗部２２のピッチＰ２よりも長くなっており、抵抗部２２を仕掛け５０が通過する際には、仕掛け５０の貫通孔５１に、抵抗部２２の山部と谷部とが複数当接する状態となる。このため、これらの山部と谷部との当接力（復元力）により、抵抗部２２と貫通孔５１との摩擦力は、先端部２１における貫通孔５１との摩擦力よりも大きくなっている。
【００３０】
これらのことから、抵抗部２２では、保持部２０の軸線に沿う方向への滑り抵抗を、先端部２１に比べて増加することができ、これによって、抵抗部２２は、先端部２１の滑り抵抗よりも大きな滑り抵抗を仕掛け５０に対して付与可能となっている。
【００３１】
なお、抵抗部２２における２本の線材２０ａ１，２０ｂ１の重なり具合は、図１（ｄ）に示すように、平面視で重なる（上下方向に重なる）ようにしてもよい。
【００３２】
直線部２３は、抵抗部２２とつまみ部１０との間に設けられており、複数の仕掛け５０が挿通保持される部分である。直線部２３の基端となる端部２０ａ，２０ｂは、つまみ部１０の一端１０ａに埋設されて接続されている。
【００３３】
次に、以上のような釣用仕掛け保持具１に対して、仕掛け５０を装着する際の作用、および装着した仕掛け５０を取り外す際の作用について説明する。
仕掛け５０を装着する際には、図２（ａ）に示すように、仕掛け５０の貫通孔５１に保持部２０の先端部２１を近づけ、図２（ｂ）に示すように、先端部２１の挿通部２１ａを貫通孔５１内に挿入する。そうすると、この挿入に伴って、貫通孔５１の内径Ｄ３（図１（ｃ）参照）に先端部２１が規制されるようにして、先端部２１がその短軸方向（山谷方向）に窄まる状態となる。この場合、先端部２１は、前記したように傾斜角度θ１が抵抗部２２の傾斜角度θ２に比べて小さくなっているので、曲げモーメントの入力による曲げ変形が抵抗部２２よりも大きくなっており、これによって、先端部２１がその短軸方向（山谷方向）に、比較的スムーズに窄まることとなる。
【００３４】
また、先端部２１の有する山部は、各線材２０ａ１，２０ｂ１に１つずつであるので、貫通孔５１内を先端部２１が通過する際の摩擦力は、抵抗部２２が通過する際の摩擦力に比べて小さくなり、これによって、先端部２１を貫通孔５１に比較的スムーズに挿通させることができる（図２（ｃ）参照）。
【００３５】
貫通孔５１内を先端部２１が通過した後、貫通孔５１には、続けて抵抗部２２が挿入される。貫通孔５１に抵抗部２２が挿入されると、貫通孔５１の内径Ｄ３（図１（ｃ）参照）に抵抗部２２が規制されるようにして、抵抗部２２がその短軸方向（山谷方向）に若干窄まる。この場合、抵抗部２２は、前記したように傾斜角度θ２が先端部２１の傾斜角度θ１に比べて大きくなっているので、曲げモーメントの入力による各山部（各谷部）の曲げ変形が先端部２１よりもそれぞれ小さくなり、これによって、貫通孔５１を通過する際に抵抗部２２により貫通孔５１に付与される抵抗力は比較的大きなものとなる。
【００３６】
また、抵抗部２２には、ピッチＰ２の小さい複数の山部と谷部とが形成されているので、貫通孔５１内を抵抗部２２が通過する際の摩擦力は、先端部２１が通過する際の摩擦力に比べて大きくなる。
以上のことから、仕掛け５０に抵抗部２２を挿通させる際には、先端部２１を挿通させる際に比べて大きな滑り抵抗が貫通孔５１に付与されることとなり、先端部２１を挿通させる際に比べて、比較的大きな押し込み力や引張り力を線材２０ａ１，２０ｂ１に加える必要がある。したがって、例えば、仕掛け５０の端部から露出した先端部２１を、指でつまみながら、他方の指で仕掛け５０を把持し、これらを相互に引っ張るようにして力を加える等することで、抵抗部２２を貫通孔５１に挿通させることが可能となる（図２（ｄ）（ｅ）参照）。
【００３７】
貫通孔５１に抵抗部２２を挿通した後は、図２（ｅ）に示すように、直線部２３に仕掛け５０が移動することとなるので、この直線部２３に仕掛け５０を保持することができる。
【００３８】
また、保持部２０に装着した仕掛け５０を取り外す際には、例えば、一方の手の指でつまみ部１０をつまみながら、他方の手の指で仕掛け５０をつまんで、これを先端部２１に向けて引き抜くように移動させることにより行う。
これにより、仕掛け５０が直線部２３から抵抗部２２に移動し、仕掛け５０の貫通孔５１に抵抗部２２が挿入される。そうすると、前記と同様に、挿入に伴って、貫通孔５１の内径Ｄ３（図１（ｃ）参照）に抵抗部２２が規制されるようにして、抵抗部２２がその短軸方向（山谷方向）に若干窄まりつつ、仕掛け５０に対して、先端部２１を通過するときよりも比較的大きな抵抗力が付与されることとなる。
また、このとき、抵抗部２２に備わる複数の山部と谷部とにより、先端部２１を通過する際に比べて比較的大きな摩擦力が付与されることとなる。
【００３９】
したがって、貫通孔５１に抵抗部２２を通過させる際には、先端部２１を通過させる際に比べて、仕掛け５０（貫通孔５１）に大きな滑り抵抗が付与されることとなり、これによって、比較的大きな引張り力で仕掛け５０を引き抜く操作をすることで、抵抗部２２を通過させることができる。したがって、仕掛け５０は、保持部２０から外れ難くなっている。
【００４０】
その後、さらに仕掛け５０を引き抜く方向に移動させて先端部２１を通過させることで、保持部２０から仕掛け５０を取り外すことができる。
なお、先端部２１を通過させる際には、抵抗部２２を通過させる際に比べて、仕掛けに５０に付与される滑り抵抗は小さくなるので、比較的スムーズに引き抜くことができる。
【００４１】
以上のような釣用仕掛け保持具１は、図３に示すように、ホルダー６０等を介して釣人の衣服Ｃ等に装着して使用することができる。このようなホルダー６０に吊り下げられると、図４に示すように、釣用仕掛け保持具１に保持された仕掛け５０，５５は、重力によって先端部２１に向けて集まる状態となり易いが、先端部２１の上方に位置する抵抗部２２に阻まれて、それ以上下方へ移動してしまうことが防止された状態で保持される。これによって、釣用仕掛け保持具１から仕掛け５０，５５が不意に脱落するのを好適に防止することができる。
【００４２】
以上説明した本実施形態の釣用仕掛け保持具１によれば、ループ状とされた先端部２１は、その先端に向けてテーパ状に窄まる挿通部２１ａを有しているので、保持部２０に仕掛け５０を保持する際には、挿通部２１ａを仕掛け５０の貫通孔５１に挿通することで、保持部２０に簡単に仕掛け５０を保持することができる。
そして、保持部２０には、つまみ部１０と先端部２１との間に、抵抗部２２が設けられているので、保持部２０に仕掛け５０が挿通保持された後に、先端部２１へ向けて仕掛けが移動したとしても、抵抗部２２の存在によって、先端部２１へ向けた仕掛け５０の移動が規制される。これによって、仕掛け５０が保持部２０から不意に抜け落ちてしまうのを好適に防止することができる。
【００４３】
また、ホルダー６０等を介して釣人の衣服Ｃ等に釣用仕掛け保持具１を装着して使用した場合に、仕掛け５０，５５が衣服Ｃ等に擦れても、先端部２１から仕掛け５０，５５が抜け落ちることがなくなり、使い勝手の向上を図ることができる。また、振動や衝撃等を受けた場合にも、仕掛け５０，５５が抜け落ちるのを好適に防止することができる。
【００４４】
また、抵抗部２２は、線材２０ａ１，２０ｂ１を山谷状に曲げてなるので、形成が簡単であり、生産性に優れ、仕掛け５０（５５、以下同じ）の抜け落ちを防止することができる構成でありながら、コストの低減を図ることができる。
【００４５】
（第２実施形態）
図５（ａ）（ｂ）を参照して第２実施形態の釣用仕掛け保持具について説明する。
本実施形態の釣用仕掛け保持具１が前記第１実施形態と異なるところは、先端部２１の短軸方向と直交する方向（短軸方向と９０度ずれた方向）に山谷状の曲げ加工が施されて抵抗部２２が形成されている点である。
【００４６】
先端部２１は、前記第１実施形態と同様に、図５（ａ）に示すように、平面視で水平方向に扁平とされた略菱形形状とされており、抵抗部２２は、図５（ｂ）に示すように、先端部２１の単軸方向と直交する鉛直方向に、山谷状に曲げ加工（直線部２３における線材２０ａ１，２０ｂ１の軸線に直交する鉛直方向に山谷状となるように曲げ加工）されている。
【００４７】
このような釣用仕掛け保持具１によれば、先端部２１と抵抗部２２とにおいて、山部と谷部との突出方向が相互に異なっているので、先端部２１と抵抗部２２とで滑り抵抗が付与される方向も相互に異なることとなり、これによって、仕掛け５０が保持部２０から不意に抜け落ちてしまうのをより好適に防止することができるようになる。したがって、使い勝手のよい釣用仕掛け保持具１が得られる。
【００４８】
（第３実施形態）
図６（ａ）〜（ｃ）を参照して第３実施形態の釣用仕掛け保持具について説明する。
本実施形態の釣用仕掛け保持具１が前記第１，第２実施形態と異なるところは、先端部２１の一部に抵抗部２２Ａが設けられている点である。
【００４９】
抵抗部２２Ａは、先端部２１の挿通部２１ａに連続して、先端部２１の一部として設けられており、本実施形態では、挿通部２１ａの最大幅部２１０から直線部２３（つまみ部１０、図１（ａ）参照、以下同じ）に向けて急激に窄まるように形成されてなる。
【００５０】
抵抗部２２Ａには、図６（ａ）中二点鎖線で示したように、仕掛け５０の端部５２が直接的に当接可能であり、この当接によって、挿通部２１ａへ向けた仕掛け５０の移動が阻まれるようになっている。
【００５１】
このような釣用仕掛け保持具１において、仕掛け５０を装着する際に、図６（ｂ）に示すように、仕掛け５０の貫通孔５１に挿通部２１ａを挿入すると、挿入に伴って、貫通孔５１の内径Ｄ３（図１（ｃ）参照）に対応する大きさに挿通部２１ａが短軸方向に窄まり、これによって挿通部２１ａに連続している抵抗部２２Ａも窄まって重なるようにして、貫通孔５１の内径に対応する幅に変形することとなる。
これによって、挿通部２１ａから抵抗部２２Ａを通じて直線部２３に至る部分が略一律に貫通孔５１の内径に対応する幅を有したものとなり、これによって、仕掛け５０の貫通孔５１への挿通をスムーズに行うことができるようになる。
【００５２】
なお、挿通部２１ａは貫通孔５１を貫通すると、図６（ａ）に示すように、復元力によって短軸方向に広がって復元される。これによって、抵抗部２２Ａが仕掛け５０の端部５２に対峙する状態となり、抵抗部２２Ａに仕掛け５０の端部５２が当接した際には、挿通部２１ａの滑り抵抗よりも大きい滑り抵抗が仕掛け５０に対して付与される状態となる。
【００５３】
このような釣用仕掛け保持具１によれば、先端部２１の一部に抵抗部２２Ａが一体的に形成されているので、先端部２１を形成する過程で抵抗部２２Ａも一緒に形成することができ、保持部２０の形状や加工がシンプルなものとなる。これによって、生産性の向上を図ることができる。このことは、コストの低減に寄与する。
また、先端部２１の一部を利用して抵抗部２２Ａが形成されるので、先端部２１の一部を利用した分、保持部２０の全長を短くすることが可能となる。したがって、保持可能な仕掛け５０の数を減らすことなく、コンパクト化を図ることができる。
【００５４】
図７（ａ）（ｂ）は第３実施形態の変形例に係る釣用仕掛け保持具の先端部および抵抗部を示す拡大平面図である。
図７（ａ）に示した変形例では、抵抗部２２Ａが、直線部２３（つまみ部１０）へ向けて段付き状に窄まるように形成されており、段部を形成する２つの傾斜部２２ａおよび傾斜部２２ｂを有して、これらの傾斜部２２ａと傾斜部２２ｂとの間が連結部２２ｃ連結された構成となっている。
【００５５】
このような釣用仕掛け保持具１では、抵抗部２２Ａが、段部を形成する２つの傾斜部２２ａおよび傾斜部２２ｂを有しているので、挿通部２１ａ（先端部２１）へ向けた仕掛け５０の移動がより確実に抑制されることとなり、使用中に不意に仕掛け５０が抜け落ちるのをより確実に防止することができる。
【００５６】
また、図７（ｂ）に示した変形例では、抵抗部２２Ａに連続するようにテーパー状に緩やかに窄まる傾斜部２３ａが設けられている。
【００５７】
このような釣用仕掛け保持具１では、抵抗部２２Ａに連続する傾斜部２３ａが設けられており、傾斜部２３ａがテーパー状に緩やかに窄まるように形成されているので、保持部２０から仕掛け５０を引き抜く際の仕掛け５０の移動がスムーズとなり、使い勝手のよい釣用仕掛け保持具１が得られる。
【００５８】
（第４実施形態）
図８を参照して第４実施形態の釣用仕掛け保持具について説明する。
本実施形態の釣用仕掛け保持具１が前記第１〜第３実施形態と異なるところは、抵抗部２２Ｂが、つまみ部１０側へ折り返された線材２０ｂ１（他端）を線材２０ａ１（つまみ部１０側）に絡げることで形成されている点である。
【００５９】
抵抗部２２Ｂは、線材２０ｂ１を線材２０ａ１に螺旋状に絡げることで形成されており、前記した実施形態と同様に、仕掛け５０に対して、先端部２１（挿通部２１ａ）よりも大きな滑り抵抗を仕掛け５０に対して付与することが可能である。
【００６０】
このような釣用仕掛け保持具１では、つまみ部１０側（線材２０ａ１）に絡げることで抵抗部２２Ｂを簡単に形成することができるので、生産性に優れ、コストの低減を図ることができる。
なお、抵抗部２２Ｂは、コイルスプリング状にして絡げてもよい。また、抵抗部２２Ｂの端部（線材２０ｂ１の端部）を抵抗部２２Ｂの近傍で線材２０ａ１に固着（溶着）してもよい。
【００６１】
（第５実施形態）
図９を参照して第５実施形態の釣用仕掛け保持具について説明する。
本実施形態の釣用仕掛け保持具１が前記第１〜第４実施形態と異なるところは、線材２０ａ１，２０ｂ１とは別体とされた球状の部材を、先端部２１の近傍に取り付けることで抵抗部２２Ｃを設けた点である。
【００６２】
抵抗部２２Ｃは、樹脂材や合成ゴム材等の弾力性を有する材料からなる球状の部材であり、先端部２１の近傍位置において、線材２０ａ１，２０ｂ１に固着されている。抵抗部２２Ｃは、前記実施形態で説明した抵抗部２２等と同様の作用効果を有するように、先端部２１により付与される滑り抵抗よりも大きい滑り抵抗を仕掛け５０に対して付与するように、仕掛け５０の貫通孔５１の内径Ｄ３（図１（ｃ）参照）よりも大きな直径を有している。
【００６３】
なお、抵抗部２２Ｃは、球状とされたものに限られることはなく、三角形状、断面楕円形状、断面長円形状、四角形状、多角形状、湾曲面を組み合わせた形状等、種々の形状を採用することができる。
【００６４】
このような釣用仕掛け保持具１においても、抵抗部２２Ｃの存在によって、先端部２１へ向けた仕掛け５０の移動が規制され、仕掛け５０が保持部２０から不意に抜け落ちてしまうのを好適に防止することができる。
【００６５】
また、先端部２１の近傍に固着することで、抵抗部２２Ｃを簡単に設けることができるので、生産性に優れ、仕掛け５０の抜け落ちを防止することができる構成でありながら、コストの低減を図ることができる。
【００６６】
前記第１実施形態において、抵抗部２２は、線材２０ａ１，２０ｂ１を同じ方向に曲げることで形成したが、これに限られることはなく、保持部２０の軸線周りに突出方向を相互に異ならせて設けてもよい。また、保持部２０の軸線回りに線材２０ａ１，２０ｂ１を相互に螺旋状に絡めて設けてもよい。
【００６７】
また、線材２０ａ１，２０ｂ１は、ステンレス製のものに限られることはなく、他の金属、例えば、形状記憶合金（Ｎｉ−Ｔｉ合金）で形成してもよいし、合成樹脂製の線材、例えば、ポリアミド、ポリプロピレン等の材料を金型に射出成形することで形成された線材等を用いてもよい。
【００６８】
なお、前記各実施形態では、保持部２０が２本の線材２０ａ１，２０ｂ１で構成された例を示したが、これに限られることはなく、抵抗部２２や直線部２３等を１本の線材２０ａ１（または２０ｂ１）で形成してもよいし、別途、線材を追加して、３本以上の線材で保持部２０を構成するようにしてもよい。
【符号の説明】
【００６９】
１      釣用仕掛け保持具          ２１ａ  挿通部
１０    つまみ部                  ２２    抵抗部
２０    保持部                    ２２Ａ〜２２Ｃ  抵抗部
２０ｂ１  線材                    ５０  仕掛け
２０ａ１  線材                    ５１    貫通孔
２１    先端部
【図１】
2012110281.tif 000003
【図２】
2012110281.tif 000004
【図３】
2012110281.tif 000005
【図４】
2012110281.tif 000006
【図５】
2012110281.tif 000007
【図６】
2012110281.tif 000008
【図７】
2012110281.tif 000009
【図８】
2012110281.tif 000010
【図９】
2012110281.tif 000011